(57)【要約】      （修正有）【課題】容易にグラデーションカラーを施すことが可能な頭髪処理装置を提供する。【解決手段】カラーリング剤などの頭髪処理剤Ｗを貯留するタンク１２と、頭髪を梳く髪梳き筒１３と、タンク１２から髪梳き筒１３に頭髪処理剤を送るポンプ１４を備えた頭髪処理装置１用のユニット１１を用意する。複数のユニット１１をハンドル１６に左右に並べて支持して組み付け、頭髪処理装置１を組み立てる。複数のユニット１１に設けられたタンク１２内に、各々異なる頭髪処理剤Ｗを注入し、ハンドル１６を握ってポンプ１４を加圧すると、髪梳き筒１３に設けられた吐出口から一時に異なるカラーの頭髪処理剤Ｗが、頭髪に向けて吐出される。【選択図】図１
2022001216.tif 000002
【特許請求の範囲】
【請求項１】
頭髪に頭髪処理剤を塗布する頭髪処理装置に用いられるユニットであって、
頭髪を梳く髪梳き筒と、頭髪処理剤を貯留するタンクから前記髪梳き筒に頭髪処理剤を送るポンプと、を含み、
前記髪梳き筒に、前記ポンプからの頭髪処理剤を頭髪に向けて吐出する吐出口が形成されていることを特徴とするユニット。
【請求項２】
前記髪梳き筒の外周面に、前記吐出口が髪梳き筒の長手軸線方向に複数配列されている請求項１に記載のユニット。
【請求項３】
前記髪梳き筒が、頭髪を左右から挟む一対の挟持筒を含み、
前記挟持筒に前記吐出口が設けられた請求項１または２に記載のユニット。
【請求項４】
前記髪梳き筒の長手軸線が頭皮の丸みに合わせて湾曲している請求項１〜３の何れか一項に記載のユニット。
【請求項５】
前記頭髪処理剤の逆流を防止する逆流防止部を備えた請求項１〜４の何れか一項に記載のユニット。
【請求項６】
請求項１〜５のいずれか一項に記載のユニットを複数、左右に並べて支持するハンドルを備え、
前記ハンドルは、前記複数のユニットのポンプを一時に加圧することを特徴とする頭髪処理装置。
【発明の詳細な説明】
【技術分野】
【０００１】
本発明は、頭髪をカラーリングするための頭髪処理装置用のユニットおよび頭髪処理装置に関する。
【背景技術】
【０００２】
従来、頭髪にカラーリングや脱色を施す頭髪処理装置が知られている。例えば、特許文献１には、カラーリング製品を供給するリザーバ（２０）と、リザーバから供給されたカラーリング製品を毛髪に塗布するコーム（３０）を備えた毛髪への製品塗布装置が開示されている。また、特許文献２には、ヘアカラーリング添加剤用の容器（３）と、ブラシ状の基部（６）を備え、基部（６）に設けられた添加剤供給口（８）からヘアカラーリング添加剤を吐出するヘアカラーリング装置が開示されている。
【先行技術文献】
【特許文献】
【０００３】
【特許文献１】特開２００５−８１１４３号公報
【特許文献２】特表２００５−５３３５４８号公報
【発明の概要】
【発明が解決しようとする課題】
【０００４】
ところで、近年、人々の美意識が高まるにつれ、自身の外見に大きな変化をもたらすヘアカラーへの要望も、複雑化・高度化が進んでいる。このような人々の要望に応えるべく、理容業界では、頭髪全体を一色にカラーリングする方法だけではなく、頭髪を複数の細かい髪束に分け、髪束ごとに異なるカラーリング剤を塗布し、頭髪全体でグラデーションとなるようにカラーリングする方法も行われている。
【０００５】
しかし、所望のグラデーションカラーを施すには、施術者は、頭髪全体を適量の細かい髪束に分け、髪束ごとに異なるカラーリング剤を塗り分ける必要がある。このため、単色のカラーリングに比べて施術の難易度が高く、手間もかかるという問題があった。また、従来の装置によれば、頭髪処理剤の容器と流路が一つであるため、異なる種類のカラーリング剤を入れ替えて塗布する必要があり、手作業の場合と同様に、施術の難しさや手間の問題が生ずる。
【０００６】
そこで、本発明の目的は、容易にグラデーションカラーを施すことが可能な頭髪処理装置を提供することにある。
【課題を解決するための手段】
【０００７】
上記課題を解決するために、本発明の頭髪処理装置に用いられるユニットは、
（１）頭髪に頭髪処理剤を塗布する頭髪処理装置に用いられるユニットであって、頭髪処理剤を貯留するタンクと、頭髪を梳く髪梳き筒と、タンクから髪梳き筒に頭髪処理剤を送るポンプと、を含み、髪梳き筒に、ポンプからの頭髪処理剤を頭髪に向けて吐出する吐出口が形成されていることを特徴とする。
【０００８】
（２）また、髪梳き筒の外周面に、吐出口が髪梳き筒の長手軸線方向に複数配列されるように構成することも可能である。
【０００９】
（３）髪梳き筒が、頭髪を左右から挟む一対の挟持筒を含み、挟持筒に吐出口を設けても良い。
【００１０】
（４）髪梳き筒の長手軸線が頭皮の丸みに合わせて湾曲するように設けることも可能である。
【００１１】
（５）さらに、頭髪処理剤の逆流を防止する逆流防止部を備えることも好適に採用できる。
【００１２】
また、本発明の頭髪処理装置は、上記（１）〜（５）のいずれか一つに記載のユニットを複数、左右に並べて支持するハンドルを備え、ハンドルは、複数のユニットのポンプを一時に加圧することを特徴とする。
【発明の効果】
【００１３】
本発明の頭髪処理装置用のユニットおよび頭髪処理装置によれば、異なるカラーリング剤を貯留したユニットを左右に並べ、ハンドルを用いて並列された全ポンプを一時に加圧することで、異なるカラーリング剤を一時に吐出口から吐出して頭髪に塗布することができる。このため、容易にグラデーションカラーを施術できるという優れた効果を奏する。
【図面の簡単な説明】
【００１４】
【図１】本発明の実施例１の頭髪処理装置の斜視図である。
【図２】図１の頭髪処理装置の内部構成を模式的に表した平面図である。
【図３】図１の頭髪処理装置のＡ−Ａ線断面図である。
【図４】図１の頭髪処理装置の組立状態を示す分解斜視図である。
【図５】図１の頭髪処理装置の内部構成を模式的に表した要部平面図と、Ｂ−Ｂ線断面図である。（ａ）ポンプ非加圧状態、（ｂ）ポンプ加圧状態を示す。
【図６】（ａ）逆流防止部の内部構造を模式的に表した拡大平面図（ｂ）Ｃ−Ｃ線断面図、（ｃ）Ｄ−Ｄ線断面図である。
【図７】頭髪処理装置の作用を示す挟持筒の断面図である。
【図８】本発明の実施例２の頭髪処理装置の外観斜視図である。
【図９】図７の頭髪処理装置の図２（ａ）Ａ−Ａ線による断面図である。
【図１０】図７の頭髪処理装置の作用を示す髪梳き筒の断面図である。
【発明を実施するための形態】
【００１５】
以下、本発明による頭髪処理装置の実施形態を図面に基づいて説明する。各実施例において、同一または類似する構成要素は図面に同じ符号で示されている。
【実施例１】
【００１６】
図１に示すように、実施例１の頭髪処理装置１は、頭髪処理装置１に用いられるユニット１１と、複数のユニット１１を左右に並べて支持するハンドル１６を備える。本実施例では、３つのユニットが支持されている。頭髪処理剤Ｗとしては、例えば、頭皮を保護する保護剤、頭髪Ｈを保護するためのトリートメント剤、頭髪Ｈを脱色するブリーチ剤、前処理剤、頭髪Ｈを染めるためのカラーリング剤、パーマ用の薬剤、ストレートパーマ用の薬剤などがある。
【００１７】
図２，３に示すように、ユニット１１は、頭髪処理剤Ｗを貯留する筒状のタンク１２と、頭髪Ｈを梳く髪梳き筒１３と、タンク１２から髪梳き筒１３に頭髪処理剤Ｗを送るポンプ１４を備える。タンク１２および髪梳き筒１３は、アルミニウム等の金属材料または樹脂材料で断面略長方形のパイプ状に形成され、ポンプ１４は、樹脂材料などの弾力性を備えた材料で断面略長方形のパイプ状に形成されている。
【００１８】
タンク１２のポンプ１４側基端１２ａには、頭髪処理剤Ｗを流出させる流出口２２が形成され、末端部には頭髪処理剤Ｗを注入する注入口２１が形成されている。また、流出口２２とポンプ１４の接続部には、ポンプ１４内からタンク１２内への頭髪処理剤Ｗの逆流を防止する逆流防止部１５が設けられている。なお、タンク１２本体は、末端部から基端部に向かって傾斜して設けられている。この傾斜により、頭髪処理剤Ｗは、自重で注入口２１から流出口２２に向けて流下し、自動的に流出口２２に集まる。
【００１９】
髪梳き筒１３のポンプ１４側基端１３ａには、頭髪処理剤Ｗを流入させる流入口３１が形成され、末端側には、頭髪Ｈを左右から挟む一対の挟持筒３２が設けられている。流入口３１とポンプ１４の接続部には、髪梳き筒１３内からポンプ１４内への頭髪処理剤Ｗの逆流を防止する逆流防止部１５が設けられている。髪梳き筒１３は、長手軸線が頭皮の丸みに合わせて湾曲するように形成されているが、長手軸線が直線となるように形成することも可能である。なお、流入口３１とポンプ１４の接続部に、バイブレータ１７を設けても良い。バイブレータ１７を設けた場合、頭髪処理剤Ｗに振動を与えて、さらにしっかりと頭髪Ｈに塗布することができる。
【００２０】
挟持筒３２は、頭髪Ｈに差し入れやすいように先端部に向けて薄くなるように傾斜が設けられている。また、挟持筒３２は、頭髪処理剤Ｗを頭髪Ｈに向けて吐出する吐出口３３を備える。吐出口３３は、挟持筒３２の、対となる挟持筒３２と対向する側面に、髪梳き筒１３の長手軸線方向に複数配列されて設けられている。ポンプ１４から髪梳き筒１３の流入口３１に流入した頭髪処理剤Ｗは、挟持筒３２の流路３４に向けて送り込まれ、最後に吐出口３３から頭皮または頭髪Ｈに向けて吐出される。また、一対の挟持筒３２の間隔Ｄ１は、同色にカラーリングする髪束の太さを勘案して設けられている。
【００２１】
このとき、吐出口３３は、互いに対向するように側面３２ａに設けることができる。このように設けることで、挟持した頭髪Ｈに適切にカラーリング剤などの頭髪処理剤Ｗを頭髪Ｈに塗布することができる。一方、吐出口３３は、底面３２ｂに設けることもできる。このように設けた場合には、保護剤など頭皮に直接塗布するタイプの頭髪処理剤Ｗを適切に塗布することができる。
【００２２】
図４に示すように、ハンドル１６は上下に分解可能な一対の部材から構成され、各々の部材が複数の立壁１６ａを備えている。立壁１６ａ間にユニット１１のポンプ１４を嵌め込み／取り外しすることによって、ユニット１１を容易に取り付け／取り外しすることができる。本実施例では、３つのユニットを取り付けているが、立壁１６ａの数を増減し、取り付けるユニット１１の数を調整することも可能である。
【００２３】
図５は、ポンプ１４の作用を表した断面図である。図５（ａ）に示すように、ハンドル１６を解放した状態では、立壁１６ａ間の間隔Ｄ２は広く開けられており、ポンプ１４も加圧されない。ハンドル１６を握ると、図５（ｂ）に示すように、立壁１６ａ間の間隔Ｄ２が狭まり、ポンプ１４が加圧される。このとき、頭髪処理剤Ｗは、ポンプ１４から髪梳き筒１３の内側に送られる。その後、再びハンドル１６を解放すると、立壁１６ａ間の間隔Ｄ２が広がり、ポンプ１４の加圧も無くなる。このとき、タンク１２内の頭髪処理剤Ｗがポンプ１４に供給される。
【００２４】
図６（ａ）は、逆流防止部１５の内部構造を模式的に表した拡大水平断面図である。逆流防止部１５は、タンク１２側に配置された断面円形状の上流側開口部５１と、髪梳き筒１３側に配置された断面矩形状の下流側開口部５２と、上流側開口部５１および下流側開口部５２の間に設けられた球状の栓５３を備える。頭髪処理剤Ｗが順方向に流動した場合は、図６（ｂ）に示すように、栓５３は下流側開口部５２と当接し、隙間５４から頭髪処理剤Ｗを流出させる。一方、頭髪処理剤Ｗが逆方向に流動した場合は、図６（ｂ）に示すように、栓５３は上流側開口部５１を閉塞し、頭髪処理剤Ｗの逆流を防止する。
【００２５】
続いて、実施例１の頭髪処理装置１を用いて頭髪Ｈに頭髪処理剤Ｗを塗布する手順を説明する。まず、タンク１２の注入口２１からタンク１２毎に異なるカラーの頭髪処理剤Ｗを注入する（図１参照）。次に、図７に示すように、髪梳き筒１３を頭髪Ｈの付け根近くまで差し込み、頭髪Ｈを隣接する挟持筒３２の間に分配する。
【００２６】
続いて、ハンドル１６を握って、タンク１２内の頭髪処理剤Ｗを挟持筒３２内に送り、吐出口３３から頭髪Ｈに向けて吐出する。このようにすれば、一時に異なるカラーの頭髪処理剤Ｗを頭髪Ｈに塗布することができる。また、挟持筒３２に頭髪Ｈを挟持しつつ塗布するため、ほぼ同量の髪束ごとに頭髪処理剤Ｗを塗布することができる。さらに、吐出口３３が挟持筒３２の側面に設けられているため、頭髪処理剤Ｗが直接頭皮に塗布されることを防止することもできる。
【００２７】
ところで、ストレートパーマ剤には、縮毛矯正度合いの異なる複数種類の薬剤がある。本願の頭髪処理装置１を用い、一時に複数種類の薬剤を用いることによって、適度な強弱を与えて縮毛矯正することにより、より自然なストレートパーマに仕上げることができるという効果も有する。
【実施例２】
【００２８】
図８，９に示すように、実施例２の頭髪処理装置１では、タンク１２内が隔離壁２３によって２つの部屋２４に隔離され、これらの部屋２４にはそれぞれ注入口２１が形成されている。内部構成を模式的に表した平面図については、図２と同様のため省略する。挟持筒３２内には、２つの流路３４が形成され、これらの流路３４には、それぞれ吐出口３３が形成されている。また、２つの部屋２４は、異なるポンプ１４を介して２つの流路３４に接続されている。本実施例の頭髪処理装置１を用いた場合、図１０に示すように、１つのユニットから異なる頭髪処理剤Ｗを吐出でき、より繊細なバリエーションカラーに仕上げることが可能となる。
【００２９】
その他、本願発明は上記実施形態に限定されるものではなく、発明の趣旨を逸脱しない範囲で各部の形状や構成を適宜に変更して実施することも可能である。例えば、実施例２のタンク１２の部屋数、ポンプ１４の数、流路３４の数を適宜増加させることも可能である。また、タンク１２を用いることなく、直接、頭髪処理剤Ｗを収容したケースと接続し、頭髪処理剤Ｗをポンプ１４に取り込むように構成することも可能である。
【符号の説明】
【００３０】
１    頭髪処理装置
１１    ユニット
１２    タンク（ａ：基端）
１３    髪梳き筒（ａ：基端）
１４    ポンプ
１５    逆流防止部
１６    ハンドル（ａ：立壁）
２１    注入口
２２    流出口
２３    隔離壁
２４    部屋
３１    流入口
３２    挟持筒（ａ：側面、ｂ：底面）
３３    吐出口
３４    流路
５１    上流側開口部
５２    下流側開口部
５３    栓
５４    隙間
【図１】
2022001216.tif 000003
【図２】
2022001216.tif 000004
【図３】
2022001216.tif 000005
【図４】
2022001216.tif 000006
【図５】
2022001216.tif 000007
【図６】
2022001216.tif 000008
【図７】
2022001216.tif 000009
【図８】
2022001216.tif 000010
【図９】
2022001216.tif 000011
【図１０】
2022001216.tif 000012